(57)【要約】      （修正有）【課題】内容物が使用期限内であるか否かについて、容易に確認することができ、したがって、使用期限の徒過を防止することのできる包装体を提供する。【解決手段】一部に使用期限を示す期限表示１ａを有する包装体１０において、この期限表示を金属マグネシウム粉末を含む印刷インキで構成する。この金属マグネシウム粉末が経時的に空気中の酸素と反応して、銀色から白色に変色する。そして、この変色により、使用期限が過ぎたこと、あるいは使用期限が近づいたことを容易に判断できる。この際、賞味期限の日付を読み取る必要はないし、当日の日付を確認する必要もない。【選択図】図１
2019127293.tif 000002
【特許請求の範囲】
【請求項１】
一部に使用期限を示す期限表示を有する包装体において、前記期限表示が経時的に変色する表示であることを特徴とする包装体。
【請求項２】
前記期限表示が空気中の酸素と反応して経時的に変色する表示であることを特徴とする請求項１に記載の包装体。
【請求項３】
前記期限表示が金属マグネシウムを含む印刷インキで構成されていることを特徴とする請求項２に記載の包装体。
【請求項４】
前記期限表示が使用期限を過ぎると変色する表示であることを特徴とする請求項１〜３のいずれかに記載の包装体。
【請求項５】
前記期限表示が使用期限が近づくと変色する表示であることを特徴とする請求項１〜３のいずれかに記載の包装体。
【請求項６】
前記期限表示の近傍に、この期限表示の説明が印刷されていることを特徴とする請求項１〜５のいずれかに記載の包装体。
【請求項７】
前記期限表示の周囲に、この期限表示と同色で、かつ、経時的に変色しない背景を有することを特徴とする請求項１〜６のいずれかに記載の包装体。
【発明の詳細な説明】
【技術分野】
【０００１】
本発明は、経時的に劣化する内容物を収容して、その使用期限（賞味期限、消費期限）を表示する包装体に関するものである。
【背景技術】
【０００２】
包装材料に密封された飲食物は、一般に、賞味期限や消費期限等の使用期限を有する。このため、その包装材料にはこれら使用期限が表示されていることが通常である（特許文献１，２）。
【０００３】
これら使用期限表示は、包装材料の隅に表示されていることが通常である。例えば、包装体が袋状である場合には、その包装袋のデザインと干渉しない隅部に賞味期限や消費期限等が表示されている。また、包装体が箱状の場合にも、これら賞味期限や消費期限等は包装体の隅部に表示されている。そして、その位置は包装体の種類に応じて異なり、一定の場所に表示されていない。
【０００４】
このため、食品包装体の使用期限を確認するためには、これら期限表示を探し出した上、更にその日付を読み取り、当日の日付と比較して、その使用期限内であるか否かを判断しなければならない。この作業は困難ではないが、日常生活の中では煩雑な作業である。そして、このため、使用期限を徒過してしまうことも日常経験するところである。
【先行技術文献】
【特許文献】
【０００５】
【特許文献１】特開２０１３−２０３４２２号公報
【特許文献２】特開２０１７−１０５４９３号公報
【発明の概要】
【発明が解決しようとする課題】
【０００６】
そこで、本発明は、内容物が使用期限内であるか否かについて、容易に確認することのでき、したがって、使用期限の徒過を防止することのできる包装体を提供することを目的とする。
【課題を解決するための手段】
【０００７】
すなわち、請求項１に記載の発明は、一部に使用期限を示す期限表示を有する包装体において、前記期限表示が経時的に変色する表示であることを特徴とする包装体である。
【０００８】
また、請求項２に記載の発明は、前記期限表示が空気中の酸素と反応して経時的に変色する表示であることを特徴とする請求項１に記載の包装体である。
【０００９】
次に、請求項３に記載の発明は、前記期限表示が金属マグネシウムを含む印刷インキで構成されていることを特徴とする請求項２に記載の包装体である。
【００１０】
次に、請求項４に記載の発明は、前記期限表示が使用期限を過ぎると変色する表示であることを特徴とする請求項１〜３のいずれかに記載の包装体である。
【００１１】
次に、請求項５に記載の発明は、前記期限表示が使用期限が近づくと変色する表示であることを特徴とする請求項１〜３のいずれかに記載の包装体である。
【００１２】
次に、請求項６に記載の発明は、前記期限表示の近傍に、この期限表示の説明が印刷されていることを特徴とする請求項１〜５のいずれかに記載の包装体である。
【００１３】
次に、請求項７に記載の発明は、前記期限表示の周囲に、この期限表示と同色で、かつ、経時的に変色しない背景を有することを特徴とする請求項１〜６のいずれかに記載の包装体である。
【発明の効果】
【００１４】
本発明の包装体は、これに設けられた期限表示が経時的に変色するため、その色彩によって使用期限内であるか否かを容易に判断することができる。
【００１５】
例えば、この期限表示が使用期限の到来によって変色するものである場合には、その色彩によって使用期限を徒過したことを容易に判断することが可能である。
【００１６】
また、期限表示が使用期限が近づいた時に変色するものである場合には、使用期限内に消費を促すことができるから、使用期限の徒過を防止することが可能である。
【図面の簡単な説明】
【００１７】
【図１】図１は本発明の第１の具体例に係る包装体の斜視図である。
【図２】図２は本発明の第１の具体例に係り、その変色前の期限表示を示す要部説明図である。
【図３】図３は本発明の第１の具体例に係り、その変色後の期限表示を示す要部説明図である。
【図４】図４は本発明の第２の具体例に係る包装体の斜視図である。
【図５】図５は本発明の第２の具体例に係り、その変色前の期限表示を示す要部説明図である。
【図６】図６は本発明の第２の具体例に係り、その変色後の期限表示を示す要部説明図である。
【発明を実施するための形態】
【００１８】
以下、図面を参照して本発明の具体例を説明する。図１〜３は第１の具体例を示すもので、図１はその斜視図、図２〜３は、それぞれ、変色前後の期限表示を示す要部説明図である。
【００１９】
本発明に係る包装体は任意の形態の包装体でよいが、第１の具体例は袋状の包装体１０に係るものである。袋状包装体１０を構成する包装材料も任意でよいが、賞味期限や消費期限を長くするため、一般に、酸素バリア性や水分バリア性に優れた包装材料が使用される。例えば、ポリエステルフィルム、ポリアミドフィルム等のプラスチックフィルムである。また、内容物保存性を高めて賞味期限や消費期限を長くするため、その層構成中にアルミニウム箔等の金属箔を含む包装材料を使用することもできる。また、アルミニウム蒸着膜等の金属蒸着膜、あるいは酸化ケイ素蒸着膜や酸化アルミニウム蒸着膜等の無機蒸着膜を含む包装材料も好適である。
【００２０】
なお、前述のように、包装体として箱状の包装体を使用することもできる。例えば、牛乳や日本酒等の液体内容物を収容したゲーベルトップ型紙容器である。この場合には、保形性を確保するためその層構成中に紙を含むほか、前述のプラスチックフィルム、金属箔、無機蒸着膜を含む包装材料を使用することができる。
【００２１】
ところで、前述のように、図１に図示する包装体１０は袋状である。この袋状包装体１０は、その内部に食品を収容して密封されたものであり、その一部に使用期限を示す期限表示１ａが設けられている。この例では、期限表示１ａは星印の形状を有している。なお、この例では、期限表示１ａは包装体１０の端部近傍に配置されているが、包装体１０のデザインの一部として、その中央近辺に配置することも可能である。包装体１０の中央近辺に配置した場合であっても、そのデザイン全体と衝突してこれを損なうことはない。
【００２２】
ところで、図示のように包装体１０の端部近傍に期限表示１ａを配置した場合には、その近傍に、この期限表示１ａの説明１ｂが印刷されていることが望ましい。この例では、期限表示１ａの近傍に「期限表示１ａが白く変色したら賞味期限切れ」である旨の説明１ｂが印刷されている。このため、星印の色彩が白色に変色した場合には、使用期限を過ぎたことを容易に判断することができる。一方、その色彩が白く変色していなければ、使用期限の範囲内である。
【００２３】
この期限表示１ａは、経時的に変色する材料であれば任意の材料で構成することができるが、例えば、空気中の酸素と反応して経時的に変色する材料を含む印刷インキ１２を印刷して構成することができる。このような変色性材料としては、金属マグネシウムの粉末を例示できる。金属マグネシウムは銀色であるが、経時的に空気中の酸素と反応して酸化マグネシウムに変化し、白色を呈する。このため、金属マグネシウムの粉末を含む印刷インキで印刷して前記期限表示１ａを構成すると、この期限表示１ａは、その当初は銀色を示すが、時間経過と共に白色に変化する。
【００２４】
なお、金属マグネシウム粉末は周知の樹脂バインダー及び溶剤と混合して印刷すればよい。印刷方法も任意でよいが、内容物の収容密封の前後に印刷する必要がある。このため、例えば、インキジェット印刷法、凸版印刷法等の印刷方法で印刷することが望ましい。
【００２５】
また、この期限表示１ａは、一度の印刷工程で形成することもできるが、重ね刷りによって形成することもできる。白色に変色するまでの期間は、インキ中の金属マグネシウム粉末の含有量、インキの厚み、重ね刷りの回数で制御できる。例えば、特定にインキを２５μｍの厚みに印刷した期限表示１ａが白色に変色するまでの期間が１週間の場合には、同じインキを２５μｍの厚みに印刷することにより、変色するまでの期間を２週間とすることができ、３５μｍの厚みに印刷することにより、変色するまでの期間を３週間とすることができる。また、同じインキをまず３５μｍの厚みに印刷し、さらに１５μｍの厚みに重ね刷りしたり、まず２５μｍの厚みに印刷し、さらに２５μｍの厚みに重ね刷りすることにより、変色するまでの期間を４週間とすることができる。また、変色するまでの期間を５週間とするためには、同じインキをまず３５μｍの厚みに印刷し、さらに２５μｍの厚みに重ね刷りすればよい。また、まず３５μｍの厚みに印刷し、更に３５μｍの厚みに重ね刷りすれば、変色するまでの期間を４週間とすることが可能である。
【００２６】
なお、期限表示の説明１ｂは、経時的変色のない通常の印刷インキで印刷することができる。また、その印刷方法も任意で、例えばグラビア印刷法、オフセット印刷法等を使用できる。
【００２７】
この包装体１０は次のように製造することができる。すなわち、まず、包装体１０を構成する包装材料１１に、そのデザインと共に前記説明１ｂを印刷して製袋する。次に、この包装袋に内容物を収容して密封する。そして、この内容物収容密封工程の直後に期限表示１ａを印刷することによって、包装体１０を製造することができる。なお、内容物収容密封工程の直前に期限表示１ａを印刷することも可能である。
【００２８】
包装体１０に収容する内容物としては、飲食物をその代表例として例示することができるが、これに限られない。例えば、医薬品等である。
【００２９】
そして、この包装体１０は次のように使用することができる。すなわち、その製造直後においては、図２に示すように、期限表示１ａは金属マグネシウム粉末の銀色を呈している。この金属マグネシウム粉末は経時的に酸化マグネシウムに変化するが、賞味期限内では銀色のままである。そして、賞味期限を過ぎると白色に変化する（図３参照）。このため、この期限表示１ａの色彩を確認することにより、賞味期限内であるか否かを判断することができる。この判断に際して、賞味期限の日付を読み取る必要はないし、当日の日付を確認する必要もない。
【００３０】
次に、図４〜６は本発明の第２の具体例を示している。図４は本発明に係る包装体２０の斜視図、図５〜６は、それぞれ、変色前後の期限表示を示す要部説明図である。
【００３１】
この例では、期限表示２ａの周囲に、変色前の期限表示２ａと同色で、かつ、経時的に変色しない背景２ｃを有している。そして、この期限表示２ａは、賞味期限が近づいたことを示す文字で構成されている。
【００３２】
この包装体２０においては、その製造直後では期限表示２ａは背景２ｃと同色であるため、その期限表示２ａを読み取ることができない（図５参照）。しかしながら、期限表示２ａは経時的に変色し、一方、背景２ｃは経時的変色が生じないため、賞味期限が近づいたとき、この期限表示２ａを読み取ることができる（図６参照）。例えば、期限表示２ａが金属マグネシウム粉末を含む印刷インキで構成され、背景２ｃが銀色の印刷インキで構成されている場合には、製造直後には期限表示２ａと背景２ｃとは両方共銀色でそのコントラストが低いため、期限表示２ａを読み取ることができない。一方、賞味期限が近づくと、期限表示２ａは白色に変色し、銀色の背景２ｃとの間で高いコントラストを示すため、期限表示２ａを読み取ることが可能となる。
【００３３】
そして、この例では、期限表示２ａは賞味期限を過ぎたことを示すのではなく、これが近づいたことを示すものであるから、この表示２ａによって消費を促すことができる。そして、このため、使用期限の徒過を防止することが可能となる。なお、このように期限表示２ａが使用期限が近づいたことを示すものである場合には、この期限表示２ａに加えて、使用期限を示す表示を有することが望ましい。
【００３４】
期限表示２ａは前述の期限表示１ａと同様の材料で構成することができる。例えば、金属マグネシウム粉末を含む印刷インキである。印刷方法も、期限表示１ａと同様の方法でよい。
【００３５】
背景２ｃは、金属アルミニウム粉末等の金属粉末を含む印刷インキで構成することが可能である。背景２ｃは、期限表示１ａ，２ａと同様の印刷方法で印刷することもできるが、内容物の充填密封に先立って包装材料に印刷しておくことができるため、その他の印刷方法を採用することも可能である。例えば、グラビア印刷法、オフセット印刷法等である。
【００３６】
この包装体２０は、次のように製造することができる。すなわち、まず、包装体２０を構成する包装材料２１に、そのデザインと共に前記背景２ｃを印刷して製袋する。次に、この包装袋に内容物を収容して密封する。そして、この内容物収容密封工程の直前又は直後に期限表示２ａを印刷することによって、包装体２０を製造することができる。
【００３７】
以上の説明から明らかなように、この包装体２０は次のように使用することができる。すなわち、その製造直後においては、図５に示すように、期限表示１ａは金属マグネシウム粉末の銀色を呈しており、背景２ｃと同色であるため、読み取ることができない。そして、金属マグネシウム粉末は経時的に酸化マグネシウムに変化するが、賞味期限が近づく
までは銀色のままである。そして、賞味期限が近づくと白色に変化する（図６参照）。このため、この期限表示２ａの色彩を確認することにより、賞味期限が近づいたか否かを判断することができる。そして、このため、賞味期限を徒過することなく消費することができる。なお、この判断に際しては、第１の具体例と同様に、賞味期限の日付を読み取る必要はないし、当日の日付を確認する必要もない。
【符号の説明】
【００３８】
１０：包装体
１１：包装材料    １２：期限表示用印刷インキ
１ａ：期限表示    １ｂ：期限表示の説明
２０：包装体
２１：包装材料    ２２：期限表示用印刷インキ    ２３：背景用印刷インキ
２ａ：期限表示    ２ｃ：背景
【図１】
2019127293.tif 000003
【図２】
2019127293.tif 000004
【図３】
2019127293.tif 000005
【図４】
2019127293.tif 000006
【図５】
2019127293.tif 000007
【図６】
2019127293.tif 000008